(57)【要約】【課題】乳幼児の面倒をみる親などの手間を減らすとともに、乳幼児を高い確実性であやすことを可能にする映像表示装置を提供すること。【解決手段】マイクロホン１から入力された音響信号を分析する音響信号分析手段２によって乳幼児の泣き声が検出されたときに、映像選択手段３は、映像記憶手段５に保存された複数の映像コンテンツの中から出力する映像コンテンツを選択し、映像表示手段４は、選択された映像コンテンツを表示し、出力映像判定手段６は、乳幼児が泣き止んだかどうかを判定して、表示している映像コンテンツが乳幼児に適しているかどうかを判定し、適していないと判定した場合には、映像表示手段４に表示している映像コンテンツを切り替える。【選択図】図１
2006324742.tif 000002
【特許請求の範囲】
【請求項１】
周辺の音を音響信号として入力するマイクロホンと、
前記マイクロホンから入力された音響信号を分析する音響信号分析手段と、
複数の映像コンテンツを保存する映像記憶手段と、
前記映像記憶手段に保存された映像コンテンツを表示する映像表示手段と、
前記映像記憶手段に保存された複数の映像コンテンツの中から前記映像表示手段に表示する映像コンテンツを選択する映像選択手段と、
前記映像選択手段で選択された映像コンテンツが乳幼児に適しているかどうかを判定する出力映像判定手段とを有し、
前記音響信号分析手段は、前記音響信号を分析して乳幼児の泣き声を検出し、
前記映像選択手段は、乳幼児の泣き声が検出されたときに前記映像記憶手段に保存された複数の映像コンテンツの中から出力する映像コンテンツを選択し、
前記出力映像判定手段は、乳幼児が泣き止んだかどうかを判定して選択された前記映像コンテンツが乳幼児に適しているかどうかを判定し、適していると判定した場合には前記映像表示手段に表示している映像コンテンツを維持し、適していないと判定した場合には前記映像表示手段に表示している映像コンテンツを切り替える映像表示装置。
【請求項２】
乳幼児の年齢、性別および好みの映像コンテンツのうち少なくとも一つの乳幼児情報を入力する乳幼児情報入力手段を有し、
前記映像選択手段は、前記乳幼児情報をもとに出力する映像コンテンツを選択する請求項１に記載の映像表示装置。
【請求項３】
前記音響信号分析手段は、さらに笑い声を検出し、
乳幼児の笑い声が検出されたときには、出力している映像コンテンツが乳幼児に適していると判定し、
前記映像選択手段は、前記出力している映像コンテンツを次回泣き声が検出されたときに優先的に出力する請求項１または２に記載の映像表示装置。
【請求項４】
前記マイクロホンから入力された音声の発話内容を認識する音声認識手段を有し、
前記音声認識手段は、前記マイクロホンから入力された音声をとらえ、前記音声で前記映像選択手段に出力する映像コンテンツを指示する請求項１ないし３のいずれかに記載の映像表示装置。
【請求項５】
乳幼児の様子を記録するカメラを有する請求項１ないし４のいずれかに記載の映像表示装置。
【請求項６】
乳幼児から離れた場所に設置され、乳幼児の映像コンテンツを映し出すモニタを有し、
前記モニタは、前記カメラが記録した乳幼児の映像コンテンツを映し出す請求項５に記載の映像表示装置。
【請求項７】
前記音響信号分析手段は、音響信号をもとに泣き声の原因を分析し、
前記映像選択手段は、前記原因の分析結果にあわせた映像コンテンツを選択して出力する請求項１ないし６のいずれかに記載の映像表示装置。
【請求項８】
気温、湿度、光度およびニオイのうち少なくとも一つを検出するセンサと、
音声を発するスピーカーと、
文字情報を出力するモニタとを有し、
前記スピーカーから乳幼児の居る場所の状況を音声として、または前記モニタから乳幼児の居る場所の状況を文字情報として出力する請求項１ないし７のいずれかに記載の映像表示装置。
【請求項９】
乳幼児の揺動を制御する揺動制御手段を有する請求項１ないし８のいずれかに記載の映像表示装置。
【請求項１０】
音楽を出力するスピーカー、香りを放出する香り出力手段、および冷暖房を行う冷暖房手段の少なくとも一つを有し、
前記スピーカーからの音楽の出力、前記香り出力手段からの香りの放出、および前記冷暖房手段による冷暖房のうち少なくとも一つの制御を行う請求項１ないし９のいずれかに記載の映像表示装置。
【請求項１１】
ネットワークに接続されており、前記映像選択手段が前記ネットワークに接続された機器から映像コンテンツを選択する請求項１ないし１０のいずれかに記載の映像表示装置。
【請求項１２】
前記音響信号分析手段で泣き声が検出されてから、前記映像選択手段からの映像コンテンツの出力を開始する請求項１ないし１１のいずれかに記載の映像表示装置。
【請求項１３】
前記音響信号分析手段で泣き声が検出されなくなってから、所定時間後に前記映像選択手段からの映像コンテンツの出力を停止することを特徴とする請求項１ないし１２のいずれかに記載の映像表示装置。
【請求項１４】
乳幼児が寝ていると判断された場合に、前記映像出力手段からの映像コンテンツの出力を停止するように動作する請求項１ないし１３のいずれかに記載の映像表示装置。
【請求項１５】
周辺の音を音響信号として入力するステップと、
入力された音響信号を分析する音響信号分析ステップと、
複数の映像コンテンツを保存するステップと、
保存された映像コンテンツを表示するステップと、
保存された複数の映像コンテンツの中から表示する映像コンテンツを選択する映像選択ステップと、
選択された映像コンテンツが乳幼児に適しているかどうかを判定する出力映像判定ステップとを有し、
前記音響信号分析ステップは、前記音響信号を分析して乳幼児の泣き声を検出し、
前記映像選択ステップは、乳幼児の泣き声が検出されたときに前記複数の映像コンテンツの中から出力する映像コンテンツを選択し、
前記出力映像判定ステップは、乳幼児が泣き止んだかどうかを判定して選択された前記映像コンテンツが乳幼児に適しているかどうかを判定し、適していると判定した場合には表示している映像コンテンツを維持し、適していないと判定した場合には表示している映像コンテンツを切り替える映像表示方法。
【請求項１６】
コンピュータに、
周辺の音を音響信号として入力するステップと、
入力された音響信号を分析する音響信号分析ステップと、
複数の映像コンテンツを保存するステップと、
保存された映像コンテンツを表示するステップと、
保存された複数の映像コンテンツの中から表示する映像コンテンツを選択する映像選択ステップと、
前記映像選択手段で選択された映像コンテンツが乳幼児に適しているかどうかを判定する出力映像判定ステップとを実行させるとともに、
前記音響信号分析ステップは、前記音響信号を分析して乳幼児の泣き声を検出すること、
前記映像選択ステップは、乳幼児の泣き声が検出されたときに前記複数の映像コンテンツの中から出力する映像コンテンツを選択すること、
前記出力映像判定ステップは、乳幼児が泣き止んだかどうかを判定して選択された前記映像コンテンツが乳幼児に適しているかどうかを判定し、適していると判定した場合には表示している映像コンテンツを維持し、適していないと判定した場合には表示している映像コンテンツを切り替えることを実行させるための映像表示プログラム。
【発明の詳細な説明】
【技術分野】
【０００１】
本発明は、乳幼児をあやすための映像表示装置、映像表示方法および映像表示プログラムに関する。
【背景技術】
【０００２】
乳幼児を育てる親は、寝かしつかせておいた乳幼児が泣き出した際には抱っこしてあやしたりする。しかしながら、家事などの途中ではすぐに駆け寄って面倒をみられない場合もあるほか、車の運転中に突然泣き出した場合には、車を停止するなどしなければならなかった。
【０００３】
このような問題を解決する手段として、特許文献１には、泣き声を検出すると、天井や壁に取り付けた玩具（メリー、メリーゴーランド）の動作が始まり、その回転動作や音楽が制御されるように動作する「乳幼児用玩具」が提案されている。特許文献２には、乳幼児の泣き声を検出すると、自動的に揺れ動く「自動式揺り篭」が提案されている。特許文献３には、乳児の泣き声を検出すると、揺動を加えて乳児を揺らしたり、音声を与えたり、画像を表示したりする「乳児用留守番援助装置」が提案されている。また、特許文献４には、乳幼児の泣き声を検出すると、無線によって母親などに連絡され、母親は遠隔操作でメリーを制御してあやす「玩具および携帯装置」が提案されている。
【特許文献１】特開２００２−２３３６７１号公報
【特許文献２】特開平８−１６４０４０号公報
【特許文献３】特開平３−６６３０２号公報
【特許文献４】特開２００３−３１１０３４号公報
【発明の開示】
【発明が解決しようとする課題】
【０００４】
しかしながら、特許文献１ないし特許文献３に開示された発明では、決まった動作しか行われないため、乳幼児が飽きてしまい、上手にあやすことができないことがある。また、特許文献４に開示された方法では、母親が遠方からコントロールすることができるものの、手動で操作するため、ある程度の手間が発生するなどの問題があった。
【０００５】
本発明は、このような問題を解決するためになされたもので、乳幼児の面倒をみる親などの手間を減らすことができるとともに、乳幼児を高い確実性であやすことができる映像表示装置、映像表示方法および映像表示プログラムを提供することを目的とする。
【課題を解決するための手段】
【０００６】
本発明の映像表示装置は、周辺の音を音響信号として入力するマイクロホンと、前記マイクロホンから入力された音響信号を分析する音響信号分析手段と、複数の映像コンテンツを保存する映像記憶手段と、前記映像記憶手段に保存された映像コンテンツを表示する映像表示手段と、前記映像記憶手段に保存された複数の映像コンテンツの中から前記映像表示手段に表示する映像コンテンツを選択する映像選択手段と、前記映像選択手段で選択された映像コンテンツが乳幼児に適しているかどうかを判定する出力映像判定手段とを有し、前記音響信号分析手段は、前記音響信号を分析して乳幼児の泣き声を検出し、前記映像選択手段は、乳幼児の泣き声が検出されたときに前記映像記憶手段に保存された複数の映像コンテンツの中から出力する映像コンテンツを選択し、前記出力映像判定手段は、乳幼児が泣き止んだかどうかを判定して選択された前記映像コンテンツが乳幼児に適しているかどうかを判定し、適していると判定した場合には前記映像表示手段に表示している映像コンテンツを維持し、適していないと判定した場合には前記映像表示手段に表示している映像コンテンツを切り替える構成を有する。
【０００７】
この構成により、乳幼児が泣き出した場合に、乳幼児をあやす映像コンテンツを選択して、乳幼児をあやし、乳幼児が泣き止まない場合には映像コンテンツを切り替えられる。
【０００８】
本発明の映像表示装置は、乳幼児の年齢、性別および好みの映像コンテンツのうち少なくとも一つの乳幼児情報を入力する乳幼児情報入力手段を有し、前記映像選択手段は、前記乳幼児情報をもとに出力する映像コンテンツを選択する構成を有する。
【０００９】
この構成により、乳幼児の好みの傾向などを活かして、あやすのに適した映像コンテンツを効率的に選択することが可能となる。
【００１０】
本発明の映像表示装置は、前記音響信号分析手段は、さらに笑い声を検出し、乳幼児の笑い声が検出されたときには、出力している映像コンテンツが乳幼児に適していると判定し、前記映像選択手段は、前記出力している映像コンテンツを次回泣き声が検出されたときに優先的に出力する構成を有する。
【００１１】
この構成により、乳幼児の好みの傾向を新たにつかみ、次回以降あやすのに適した映像コンテンツを効率よく選択することが可能となる。
【００１２】
本発明の映像表示装置は、前記マイクロホンから入力された音声の発話内容を認識する音声認識手段を有し、前記音声認識手段は、前記マイクロホンから入力された音声をとらえ、前記音声で前記映像選択手段に出力する映像コンテンツを指示する構成を有する。
【００１３】
この構成により、親などが乳幼児の好みをマイクロホンで入力することで、あやすのに適した映像コンテンツを効率的に選択することが可能となる。
【００１４】
本発明の映像表示装置は、さらに乳幼児の様子を記録するカメラを有する。
【００１５】
この構成により、乳幼児の映像コンテンツも記録しておくことが可能となり、成長の記録として見ることができる。
【００１６】
本発明の映像表示装置は、乳幼児から離れた場所に設置され、乳幼児の映像コンテンツを映し出すモニタを有し、前記モニタは、前記カメラが記録した乳幼児の映像コンテンツを映し出す構成を有する。
【００１７】
この構成により、親などが乳幼児の様子を離れた場所から観察することができ、乳幼児の面倒を見やすくなる。
【００１８】
本発明の映像表示装置は、前記音響信号分析手段は、音響信号をもとに泣き声の原因を分析し、前記映像選択手段は、前記原因の分析結果にあわせた映像コンテンツを選択して出力する構成を有する。
【００１９】
この構成により、泣き声の原因が、お腹がすいた、おしっこ、眠い、暑い、痛い、怖い、寂しいなどのいずれであるかを判定し、それに適した映像コンテンツを選択して出力することが可能となる。
【００２０】
本発明の映像表示装置は、気温、湿度、光度およびニオイのうち少なくとも一つを検出するセンサと、音声を発するスピーカーと、文字情報を出力するモニタとを有し、前記スピーカーから乳幼児の居る場所の状況を音声として、または前記モニタから乳幼児の居る場所の状況を文字情報として出力する構成を有する。
【００２１】
この構成により、乳幼児の状況を判別し、映像コンテンツに加えて、乳幼児の状況を知らせるメッセージを音声または文字情報として出力することが可能となる。
【００２２】
本発明の映像表示装置は、さらに乳幼児の揺動を制御する揺動制御手段を有する。
【００２３】
この構成により、乳幼児をあやすために揺れを利用することが可能となる。
【００２４】
本発明の映像表示装置は、音楽を出力するスピーカー、香りを放出する香り出力手段、および冷暖房を行う冷暖房手段の少なくとも一つを有し、前記スピーカーからの音楽の出力、前記香り出力手段からの香りの放出、および前記冷暖房手段による冷暖房のうち少なくとも一つの制御を行う構成を有する。
【００２５】
この構成により、乳幼児をあやすのに適した環境を作り出すことが可能となる。
【００２６】
本発明の映像表示装置は、ネットワークに接続されており、前記映像選択手段が前記ネットワークに接続された機器から映像コンテンツを選択する構成を有する。
【００２７】
この構成により、ネットワークに接続された機器から乳幼児の好みにあった映像コンテンツを選択することが可能になる。
【００２８】
本発明の映像表示装置は、前記音響信号分析手段で泣き声が検出されてから、前記映像選択手段からの映像コンテンツの出力を開始する構成を有する。
【００２９】
この構成により、不使用時には電源をオフにすることができ、エネルギーを節約することが可能となる。
【００３０】
本発明の映像表示装置は、前記音響信号分析手段で泣き声が検出されなくなってから、所定時間後に前記映像選択手段からの映像コンテンツの出力を停止する構成を有する。
【００３１】
この構成により、泣き声が止んでから所定時間後に、電源をオフにし、エネルギーを節約することが可能となる。
【００３２】
本発明の映像表示装置は、乳幼児が寝ていると判断された場合に、前記映像出力手段からの映像コンテンツの出力を停止するように動作する構成を有する。
【００３３】
この構成により、泣き声が止んで、寝てしまった場合に、電源をオフにし、エネルギーを節約することが可能となる。
【００３４】
本発明の映像表示方法は、周辺の音を音響信号として入力するステップと、入力された音響信号を分析する音響信号分析ステップと、複数の映像コンテンツを保存するステップと、保存された映像コンテンツを表示するステップと、保存された複数の映像コンテンツの中から表示する映像コンテンツを選択する映像選択ステップと、選択された映像コンテンツが乳幼児に適しているかどうかを判定する出力映像判定ステップとを有し、前記音響信号分析ステップは、前記音響信号を分析して乳幼児の泣き声を検出し、前記映像選択ステップは、乳幼児の泣き声が検出されたときに前記複数の映像コンテンツの中から出力する映像コンテンツを選択し、前記出力映像判定ステップは、乳幼児が泣き止んだかどうかを判定して選択された前記映像コンテンツが乳幼児に適しているかどうかを判定し、適していると判定した場合には表示している映像コンテンツを維持し、適していないと判定した場合には表示している映像コンテンツを切り替える。
【００３５】
これにより、乳幼児が泣き出した場合に、乳幼児をあやす映像コンテンツを選択して、乳幼児をあやすことができ、また乳幼児が泣き止まない場合には映像コンテンツを切り替えられる。
【００３６】
本発明の映像表示プログラムは、コンピュータに、周辺の音を音響信号として入力するステップと、入力された音響信号を分析する音響信号分析ステップと、複数の映像コンテンツを保存するステップと、保存された映像コンテンツを表示するステップと、保存された複数の映像コンテンツの中から表示する映像コンテンツを選択する映像選択ステップと、前記映像選択手段で選択された映像コンテンツが乳幼児に適しているかどうかを判定する出力映像判定ステップとを実行させるとともに、前記音響信号分析ステップは、前記音響信号を分析して乳幼児の泣き声を検出すること、前記映像選択ステップは、乳幼児の泣き声が検出されたときに前記複数の映像コンテンツの中から出力する映像コンテンツを選択すること、前記出力映像判定ステップは、乳幼児が泣き止んだかどうかを判定して選択された前記映像コンテンツが乳幼児に適しているかどうかを判定し、適していると判定した場合には表示している映像コンテンツを維持し、適していないと判定した場合には表示している映像コンテンツを切り替えることを実行させるためのものである。
【００３７】
これにより、コンピュータで、本発明を実施することが可能となる。
【発明の効果】
【００３８】
本発明は、乳幼児の面倒をみる親などの手間を減らすことができるとともに、乳幼児を高い確実性であやすことのできる映像表示装置、映像表示方法および記録媒体を提供することができる。
【発明を実施するための最良の形態】
【００３９】
以下、本発明の実施の形態について、図面を用いて説明する。
【００４０】
（実施の形態１）
はじめに、本発明の実施の形態１の映像表示装置について、図１ないし図３を用いて説明する。
【００４１】
図１に示すように、本発明の実施の形態１の映像表示装置は、周辺の音を収録するマイクロホン１と、マイクロホン１から入力された音響信号を分析する音響信号分析手段２と、複数の映像コンテンツを保存する映像記憶手段５と、映像記憶手段５に保存された映像コンテンツを表示する映像表示手段４と、映像記憶手段５に保存された複数の映像コンテンツの中から映像表示手段４に表示する映像コンテンツを選択する映像選択手段３と、映像選択手段３で選択された映像コンテンツが適しているかどうかを判定する出力映像判定手段６とを有する。
【００４２】
そして、音響信号分析手段２は、マイクロホン１から入力された音響信号を分析して乳幼児の泣き声を検出する。
【００４３】
映像選択手段３は、乳幼児の泣き声が検出されたときに映像記憶手段５に保存された複数の映像コンテンツの中から出力する映像コンテンツを選択する。映像選択手段３は、音響信号分析手段２で泣き声が検出されてから、映像コンテンツの出力を開始するようにする。これにより、不使用時には、電源をオフにすることができ、エネルギーを節約することが可能となる。一方、映像選択手段３は、音響信号分析手段２で泣き声が検出されなくなってから、所定時間（例えば、５〜１０分）後に映像コンテンツの出力を停止するようにする。これにより、乳幼児の泣き声が検出されなくなった場合に、電源をオフにし、エネルギーを節約することが可能となる。
【００４４】
出力映像判定手段６は、乳幼児が泣き止んだかどうかを判定して映像コンテンツが乳幼児に適しているかどうかを判定し、適していると判定した場合には映像表示手段４に表示している映像コンテンツを維持し、適していないと判定した場合には映像表示手段４に表示している映像コンテンツを切り替える。
【００４５】
これにより、乳幼児を高い確実性であやすことができる。
【００４６】
次に、上記映像表示装置の動作について、図２に示すフロー図を用いて説明する。
【００４７】
まず、マイクロホン１から入力された音響信号を音響信号分析手段２で分析し、乳幼児が泣いているかどうかを判定し、泣き声を検出する（ステップＳ１）。乳幼児が泣いていると判断した場合には、映像選択手段３では映像表示手段４に表示するのに適した映像コンテンツを映像記憶手段５に保存された複数の映像コンテンツの中から選択する（ステップＳ２）。選択された映像コンテンツは、映像表示手段４に出力され表示される（ステップＳ３）。さらに出力映像判定手段６では、音響信号分析手段２の結果を観測し続け（ステップＳ４）、所定時間（例えば、１５〜３０秒）ごとに乳幼児が泣き止んだかどうかを判定し、乳幼児が泣き止んだかどうかを基準に、現在出力している映像コンテンツが乳幼児に適したものであるかどうかを判定する（ステップＳ５）。その映像コンテンツでは効果がなく不適当であると判定した場合（ステップＳ５、ＮＯ）には、映像記憶手段５に現在出力している映像コンテンツがあやすのに適していないという情報を返すと同時に、映像選択手段３で再び映像コンテンツを変えるように動作する（ステップＳ６）。一方、乳幼児の泣き声が止んできたら、映像コンテンツに効果あり（ステップＳ５、ＹＥＳ）ということを映像記憶手段５に返すようにする。
【００４８】
なお、図３に示すように、映像記憶手段５に保存された映像コンテンツは、映像コンテンツごとに、その内容（「ジャンル」、「キーワード」）と各映像コンテンツが過去に乳幼児をあやす効果（「過去に使用した際の効果」）があったのかどうかを関連づけて記憶するようになっており、出力映像判定手段６の結果によって、その情報が更新される。そして、次回以降、映像コンテンツを選択する際の優先順位に影響を与えるようにする。例えば、図３に示す例であれば、乳幼児をあやす映像コンテンツとして、はじめに映像コンテンツ番号４の映像コンテンツを採用する。
【００４９】
また、音響信号分析手段２で乳幼児の泣き声を検出する具体的な方法の例としては、入力信号に対して周波数スペクトル分析を行って、乳幼児の周波数スペクトルの特徴に類似しているかどうかを判別する方法（特開２００２−２７８５８２号公報参照）や、隠れマルコフモデルなどを利用して泣き声の特徴を学習しておき、そのパターンとのマッチング処理によって行う方法などを利用することで実現できる。
【００５０】
また、出力映像判定手段６は、さらに笑い声を検出するように構成してもよい。笑い声は、乳幼児が喜んでいることを示すものであり、乳幼児をあやすのに成功したことを意味する。すなわち、笑い声を検出することによって、あやすのに使用した映像コンテンツが効果的であったことと評価することができるため、次回以降の映像コンテンツ選択の優先順位に反映することができる。
【００５１】
また、乳幼児が泣いていないような場合でも、映像選択手段３から映像コンテンツを出力し続けるようにしてもよい。これによって、乳幼児をあやす映像コンテンツを常時流し続けることができ、乳幼児が目覚めたときに泣くことを防ぐことが可能となる。
【００５２】
また、出力する映像コンテンツとしては、あらかじめ乳幼児の親の映像コンテンツを映し出すようにしてもよい。これによって、乳幼児が安心できる親の映像コンテンツによって、あやす効果を高めることができるようになる。
【００５３】
なお、出力する映像コンテンツとしては、動画像だけでなく、写真のような静止画像でもよい。
【００５４】
また、映像表示手段４は、通常、普通のテレビモニタとして利用してもよい。これによって、乳幼児をあやすことだけを目的とせずに、大人がＴＶやＤＶＤを見ることができるなど、自由度のある装置が実現できる。
【００５５】
以上の構成にすることによって、乳幼児を高い確実性であやすことが可能な映像表示装置を提供することができる。
【００５６】
（実施の形態２）
次に、本発明の実施の形態２について、図４を用いて説明する。
【００５７】
図４に示すように、本発明の実施の形態２の映像表示装置は、実施の形態１の構成に加えて、乳幼児情報入力手段７を有している。
【００５８】
次に、上記映像表示装置の動作例について説明するが、基本的には実施の形態１と同じ動作であるため、ここでは異なる部分についてのみ説明する。
【００５９】
乳幼児情報入力手段７は、乳幼児に関する情報として、性別、年齢、好みなどの情報をキーボードやボタン、マイクロホンなどを通じて入力することができるように構成されている。そして、映像選択手段３は、乳幼児情報入力手段７から得られた乳幼児に関する情報を反映して、映像コンテンツを選ぶように動作する。このとき映像選択手段３は、例えば男の子であったら自動車や電車などの映像コンテンツを好みやすい、また女の子であったら動物のキャラクターを好みやすい、などの情報を保持しており、あやす対象の乳幼児にあわせて選択する映像コンテンツの優先順位を変えることができるように構成されている。従って、乳幼児情報入力手段７で得られた情報にあった映像コンテンツを優先的に選ぶことが可能となる。
【００６０】
以上のように構成にすることによって、乳幼児をあやすのに適した映像コンテンツをより効果的に選ぶことが可能な映像表示装置を提供することができる。
【００６１】
（実施の形態３）
次に、本発明の実施の形態３について、図５を用いて説明する。
【００６２】
図５に示すように、本発明の実施の形態３の映像表示装置は、実施の形態１の構成に加えて、音声認識手段８を有している。
【００６３】
次に、その動作について説明するが、基本的には実施の形態１と同じ動作であるため、ここでは異なる部分についてのみ説明する。
【００６４】
音声認識手段８は、マイクロホン１ｂから入力された音声をとらえ、発声した音声が何を意味しているのかを認識するように動作する。これにより、乳幼児の親が、例えば「熊さんの映像コンテンツを映して」というように、映像選択手段３に選択する映像コンテンツを直接指示することができる。乳幼児をあやす親は、自分の子供が好む映像コンテンツの傾向をよりよく知っていることが多いため、このような構成を採ることは乳幼児をあやすのに効果的である。また、遠隔地にマイクロホン１ｂを用意しておけば、遠隔地から映像コンテンツに関する指示を出すことが可能となる。
【００６５】
なお、マイクロホン１ｂを、映像表示手段４に近い位置に設置したマイクロホン１ａと共有化して、音声認識手段８に音声信号を取り込むように構成してもよい。
【００６６】
以上のような構成にすることによって、乳幼児にあやすのに適した映像コンテンツを効果的に選ぶことが可能な映像表示装置を提供することが可能となる。
【００６７】
（実施の形態４）
次に、本発明の実施の形態４について、図６および図７を用いて説明する。
【００６８】
図６に示すように、本発明の実施の形態４の映像表示装置は、実施の形態１の構成に加えて、ビデオカメラなどのカメラ９を有している。
【００６９】
次に、その動作について説明するが、基本的には実施の形態１と同じ動作であるため、ここでは異なる部分についてのみ説明する。
【００７０】
カメラ９は、乳幼児を観察するように動作する。出力映像判定手段６では、音響信号分析手段２での分析結果とカメラ９が写した映像コンテンツとをあわせて、乳幼児の状況（泣いている、笑っている、寝ているなどの状態）を判定する。その結果から、映像表示手段４に表示している映像コンテンツのあやし効果について判定を行い、効果があればその映像コンテンツを維持し、効果がなければ映像コンテンツを切り替えるように動作する。
【００７１】
また、映像選択手段３は、乳幼児が寝ていると判断された場合には、映像コンテンツの出力を停止する。これにより、泣き声が止んで、寝てしまった場合に、電源をオフにし、エネルギーを節約することが可能となる。
【００７２】
なお、カメラ９で記録された映像コンテンツをハードディスクなどの記憶媒体に記録するようにしてもよい。こうすることによって、乳幼児の映像コンテンツを記録して保存できることができるほか、乳幼児の変化を後から確認することも可能となる。
【００７３】
また、図７に示すように、モニタ１０を有するように構成してもよい。これによって、乳幼児の状況を離れた場所でも確認することができるため、あやす親にとっては安心できるという効果を実現できる。
【００７４】
以上のように構成することによって、乳幼児の状況を調べる際に乳幼児の映像コンテンツをあわせて利用することで、より正確に乳幼児の状況を知ることができる映像表示装置を提供することができる。
【００７５】
（実施の形態５）
次に、本発明の実施の形態５について説明する。
【００７６】
本発明の実施の形態５は、音響信号処理手段２における動作内容が特徴的であるため、構成としてはすでに説明した実施の形態のいずれの構成であっても構わない。そこで、動作のみ説明する。
【００７７】
音響信号処理手段２は、乳幼児の泣き声から泣いている原因についての判定処理を行うように動作する。すなわち、泣き声の有無を検出するだけでなく、泣き声の特徴を詳しく分析して、お腹がすいた、おしっこ、眠い、暑い、痛い、怖い、寂しいなどの状況を判定する。そして、怖い、寂しいなどの状況にあわせた映像コンテンツを選択することができる。泣き声から乳幼児の感情を予測するアルゴリズムは、前述した特開２００２−２７８５８２号公報などに記載されている。
【００７８】
以上のような構成にすることによって、乳幼児が泣いている原因にあわせた対応がしやすくなり、乳幼児をあやすのに便利な映像表示装置を提供することができる。
【００７９】
（実施の形態６）
次に、本発明の実施の形態６について、図８を用いて説明する。
【００８０】
図８に示すように、本発明の実施の形態６の映像表示装置は、各種センサを有するとともに、乳幼児状況判定手段２０を有する。乳幼児状況判定手段２０には、音響信号分析手段２や、カメラ９、温度センサ１１、湿度センサ１２、ニオイセンサ１３が接続されている。乳幼児状況判定手段２０は、各種センサから得られた情報もあわせて乳幼児の状況（お腹がすいた、おしっこ、暑い、怖いなどの状況）を判定する。この結果を出力映像判定手段６に渡し、映像表示手段４に表示している映像コンテンツの効果を判定するのに利用する。さらに、乳幼児状況判定手段２０には、モニタ１０、スピーカー１４も接続されており、乳幼児の情報乳幼児の状況および乳幼児の周辺環境に関する情報は、各種センサから乳幼児状況判定手段２０に集められて判定され、モニタ１０に映像コンテンツや文字情報として表示することができるほか、スピーカー１４を通じて音声や音楽によって知らせることが可能となる。
【００８１】
以上のような構成にすることによって、乳幼児が泣いている原因をもとに、それにあった映像コンテンツを選択し、乳幼児をあやすのに便利な映像表示装置を提供することができる。
【００８２】
図９は、本発明の具体的な例を示し、車を運転している親が、本発明の映像表示装置を用いてチャイルドシートに座っている乳幼児をあやす状況を示している。
【００８３】
親が運転中に、乳幼児が泣き始めたとしても、乳幼児から見える位置に設置された映像表示手段４に乳幼児をあやす映像コンテンツを自動的に表示することができる。また、乳幼児の状況をマイクロホン１ａで音声として収録し、親はスピーカー１４を通じて知ることができ。また、車を停止させた際に、親はカメラ９で撮影した撮影して記録された乳幼児の映像コンテンツをモニタ１０によって映し出し、乳幼児の状況を確認することができる。親は、必要であればマイクロホン１ｂを用いて、例えば、「熊の映像コンテンツを流します。」というように、出力する映像コンテンツを直接指示することもできる。
【００８４】
以上のような構成にすることによって、カメラ９によって乳幼児の状態をより正確に把握できるようになるだけでなく、モニタ１０を用いることによって遠隔地に居る親に安心感を与えることが可能な映像表示装置を提供することができる。
【００８５】
（実施の形態７）
次に、本発明の実施の形態７について、図１０および図１１を用いて説明する。
【００８６】
図１０および図１１に示すように、本発明の実施の形態７の映像表示装置は、あやす手段として、映像コンテンツを表示する映像表示手段４のほかに、乳幼児の揺動を制御する揺動制御手段１５、香りを放出する香り出力手段１６、車内などを冷暖房する冷暖房手段１７を有する。乳幼児状況判定手段２０は、乳幼児の状況をとらえ、それに応じてあやす手段を選択し、必要な動作をさせる。すなわち、あやす際に、映像コンテンツだけではなく、スピーカー１４ｂから音楽を流したり、香り出力手段１６から香りを放出したり、温度センサ１１による観測で車内の温度が高い場合や低い場合に冷暖房手段１７によって冷房または暖房を行ったり、揺動制御手段１５によって揺り篭のように乳幼児を揺らすのを制御することで、乳幼児をあやす効果を高めることが可能となる。
【００８７】
また、湿度センサ１２やニオイセンサ１３がお漏らしを検出したら、モニタ１０やスピーカー１４ａを通じて親にお漏らしを知らせることもできる。
【００８８】
以上のような構成にすることによって、乳幼児をあやすのに適した動作をするとともに、乳幼児を育てる親にとって役立つ映像表示装置を提供することができる。
【００８９】
本発明にかかる映像表示装置、映像表示方法および映像表示プログラムは、乳幼児の面倒をみる親などの手間を減らすことができるとともに、乳幼児を高い確実性であやすことができるという効果を有し、乳幼児の支援装置などとして有用である。
【図面の簡単な説明】
【００９０】
【図１】本発明の実施の形態１における映像表示装置の構成を示すブロック図
【図２】本発明の実施の形態１における映像表示装置の動作手順を示すフロー図
【図３】本発明の実施の形態１における映像表示装置の映像記憶手段に記憶された映像コンテンツに関する情報例を示す図
【図４】本発明の第２の実施の形態における映像表示装置の構成を示すブロック図
【図５】本発明の第３の実施の形態における映像表示装置の構成を示すブロック図
【図６】本発明の第４の実施の形態における映像表示装置の構成を示すブロック図
【図７】本発明の第４の実施の形態における映像表示装置の構成を示すブロック図
【図８】本発明の第５の実施の形態における映像表示装置の構成を示すブロック図
【図９】本発明の第５の実施の形態における映像表示装置の具体的な例を説明する図
【図１０】本発明の第６の実施の形態における映像表示装置の構成を示すブロック図
【図１１】本発明の第６の実施の形態における映像表示装置の具体的な例を説明する図
【符号の説明】
【００９１】
１、１ａ、１ｂ  マイクロホン
２  音響信号分析手段
３  映像選択手段
４  映像表示手段
５  映像記憶手段
６  出力映像判定手段
７  乳幼児情報入力手段
８  音声認識手段
９  カメラ
１０  モニタ
１１  温度センサ
１２  湿度センサ
１３  ニオイセンサ
１４、１４ａ、１４ｂ  スピーカー
１５  揺動制御手段
１６  香り出力手段
１７  冷暖房手段
２０  乳幼児状況判定手段
【図１】
2006324742.tif 000003
【図２】
2006324742.tif 000004
【図３】
2006324742.tif 000005
【図４】
2006324742.tif 000006
【図５】
2006324742.tif 000007
【図６】
2006324742.tif 000008
【図７】
2006324742.tif 000009
【図８】
2006324742.tif 000010
【図９】
2006324742.tif 000011
【図１０】
2006324742.tif 000012
【図１１】
2006324742.tif 000013